(57)【特許請求の範囲】
【請求項１】
本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を備え、この熱拡散防止筒の内周に、前記発熱体より下方に位置し、前記放熱体の外周に近接する環状体を一体に設けた加湿機。
【請求項２】
本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を備え、前記放熱体の外周に近接し、前記熱拡散防止筒の内周に密接する環状体を発熱体より下方位置に着脱可能に設けた加湿機。
【請求項３】
放熱体の外周と熱拡散防止筒の内周に密接し、放熱体側に給水用切り欠きを設けた環状体を発熱体より下方位置に設けた請求項２記載の加湿機。
【請求項４】
環状体の給水用切り欠きを発熱体の非発熱部に設けた請求項１〜３記載の加湿機。
【請求項５】
発熱体より下方位置に、放熱体の外周と熱拡散防止筒の内周の間に挿入され、放熱体側に給水用の溝を有する略円筒形の環状体を設けた請求項１〜４記載の加湿機。
【発明の詳細な説明】
【０００１】
【発明の属する技術分野】
本発明は、室内の加湿調節を行う加湿機に関するものである。
【０００２】
【従来の技術】
従来、この種の加湿機は、図１０のような構成が一般的であった。
【０００３】
図に示すように、本体１０１内に放熱体１０２と、ファンモーター１０３と、水槽１０４と、水槽１０４内に着脱自在に載置されたタンク１０５と、水槽１０４内に設けた水位検出用のフロート１０６と、放熱体に固定された発熱体１０７と、本体１０１と放熱体１０２をシールするためのパッキン１０８と、放熱体１０２の周囲を包囲する熱拡散防止筒１０９を設け、熱拡散防止筒１０９内で放熱体１０２より発生する水蒸気を、ファンモ−タ−１０３の送風により室内に送出するものである。
【０００４】
上記構成において、タンク１０５から水槽１０４を通して熱拡散防止筒１０９内に給水され、発熱体１０７および放熱体１０２で加熱された蒸気は、ファンモ−タ−１０３からの空気とともに室内に吹き出される。
【０００５】
【発明が解決しようとする課題】
このような従来の加湿機では、放熱体１０２の上面で沸騰した熱湯が熱拡散防止筒１０９の壁面に沿って下降し、発熱体１０７の側下面の冷水と混合されて放熱するため、放熱体の側面で常に核沸騰状態の領域が発生する。沸騰までの過程で、完全に沸騰した膜沸騰時の沸騰音より、膜沸騰以前の核沸騰時の沸騰音の方がかなり大きいことが一般的に知られており、加湿運転中は常に核沸騰状態になることから常時沸騰音が大きいという課題があり、沸騰音を小さくすることが要求されている。
【０００６】
本発明はこのような従来の課題を解決するものであり、沸騰音の小さい加湿機を提供することを目的としている。
【０００７】
また、水中に含まれるカルシウムやマグネシウム等が蒸発残留物となって、放熱体１０２や熱拡散防止筒１０９の表面に付着するため、熱拡散防止筒１０９の表面に凹凸があると掃除しにくいという課題があり、清掃性を向上させることが要求されている。
【０００８】
本発明はこのような従来の課題を解決するものであり、清掃性に優れた加湿機を提供することを目的としている。
【０００９】
また、放熱体１０２の上面で沸騰した熱湯が熱拡散防止筒１０９の壁面に沿って下降し、発熱体１０７より下面の冷水と混合されて放熱し、水槽１０４内の冷水に伝熱して、本体１０１から空気中に放熱することとなり、発熱体の熱量が有効に利用されていないという課題があり、加熱効率の高い構造が要求されている。
【００１０】
本発明はこのような従来の課題を解決するものであり、熱の放射を抑えた加熱効率の高い加湿機を提供することを目的としている。
【００１１】
また、水中に含まれるカルシウムやマグネシウム等が蒸発残留物となって、放熱体に付着し堆積するが、放熱体の高温部分に蒸発残留物が堆積して固着し易いことから、放熱体の高温部分に給水口を配置すると、給水口が蒸発残留物で塞がれて給水不能になり、頻繁に清掃しないと長期間連続使用できないという課題があり、頻繁に清掃しなくても長期間連続使用できる構造が要求されている。
【００１２】
本発明はこのような従来の課題を解決するものであり、頻繁に清掃しなくても長期間連続使用できる使い勝手の良い加湿機を提供することを目的としている。
【００１３】
また、冷水と熱湯を遮っても、熱湯から冷水に遮蔽リブを介して放熱し、水槽１０４内の冷水に伝熱して、本体１０１から空気中に放熱することとなり、発熱体の熱量が有効に利用されていないという課題があり、加熱効率の高い構造が要求されている。
【００１４】
本発明はこのような従来の課題を解決するものであり、核沸騰防止用のリブから伝わり逃げる熱をも抑えた加熱効率の高い加湿機を提供することを目的としている。
【００１５】
【課題を解決するための手段】
本発明の加湿機は上記目的を達成するために、熱拡散防止筒の内周に、発熱体より下方に位置し、放熱体の外周に近接する環状体を一体に設けた構成としたものである。
【００１６】
本発明によれば上記手段により、運転中の核沸騰を抑えて沸騰音を抑えた低騒音で運転できる加湿機が得られる。
【００１７】
また他の手段は、放熱体の外周に近接し、熱拡散防止筒の内周に密接する環状体を発熱体より下方位置に着脱可能に設けた構成としたものである。
【００１８】
そして本発明によれば、清掃性に優れた加湿機が得られる。
また他の手段は、放熱体の外周と熱拡散防止筒の内周に密接し、放熱体側に給水用切り欠きを設けた環状体を発熱体より下方位置に設けた構成としたものである。
【００１９】
そして本発明によれば、熱の放射を抑えた加熱効率の高い加湿機が得られる。
また他の手段は、環状体の給水用切り欠きを発熱体の非発熱部に設けた構成としたものである。
【００２０】
そして本発明によれば、熱の放射を抑えて加熱効率を向上でき、頻繁に清掃しなくても長期間連続使用できる使い勝手の良い加湿機が得られる。
【００２１】
また他の手段は、発熱体より下方位置に、放熱体の外周と熱拡散防止筒の内周の間に挿入され、放熱体側に給水用の溝を有する略円筒形の環状体を設けた構成としたものである。
【００２２】
そして本発明によれば、核沸騰防止用の環状体から伝わり逃げる熱をも抑えた加熱効率の高い加湿機が得られる。
【００２３】
【発明の実施の形態】
本発明は、本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を備え、この熱拡散防止筒の内周に、前記発熱体より下方に位置し、前記放熱体の外周に近接する環状体を一体に設けた構成としたものであり、熱拡散防止筒の内周に熱水の対流を遮る環状体を一体に設けたため、熱水と冷水が混合されて沸点以下となり核沸騰状態になるのを防止できるという作用を有する。
【００２４】
また、本体内に設けた水槽と、この水槽の水位を一定に保ちつつ給水する給水タンクと、前記水槽の底面より突出して設けた放熱体と、この放熱体の内部に設けた発熱体と、前記放熱体の周囲に水面より突き出して立設した熱拡散防止筒を備え、前記放熱体の外周に近接し、前記熱拡散防止筒の内周に密接する環状体を発熱体より下方位置に着脱可能に設けた構成としたものであり、環状体が熱水の対流を遮るため、熱水と冷水が混合されて沸点以下となり核沸騰状態になるのを防止できる。また、熱拡散防止筒と核沸騰防止用の環状体を着脱可能とすることで熱拡散防止筒を単純な構造にして、蒸発残留物が堆積しにくいという作用を有する。
【００２５】
また、放熱体の外周と熱拡散防止筒の内周に密接し、放熱体側に給水用切り欠きを設けた断熱性の環状体を発熱体より下方位置に設けた構成としたものであり、熱水の対流を防止して核沸騰状態になるのを防止するとともに、熱水と冷水の接触面積を最小限にして熱損失を少なくできるという作用を有する。
【００２６】
また、環状体の給水用切り欠きを発熱体の非発熱部に設けた構成としたものであり、熱水の対流を防止して核沸騰状態になるのを防止するとともに、熱水と冷水の接触面積を最小限にして熱損失を少なくでき、また蒸発残留物が堆積しにくく、固着しにくい発熱体の非発熱部近傍に給水用切り欠きを設けることで、給水口を塞がないようにできるという作用を有する。
【００２７】
また、発熱体より下方位置に、放熱体の外周と熱拡散防止筒の内周の間に挿入され、放熱体側に給水用の溝を有する略円筒形の環状体を設けた構成としたものであり、熱水の対流を防止して核沸騰状態になるのを防止するとともに、熱水と冷水の接触面積を最小限にし、また、核沸騰防止用の環状体の体積を増し断熱効果を大きくすることにより、核沸騰防止用の環状体から伝わり逃げる熱をも抑えて熱損失を少なくできるという作用を有する。
【００２８】
以下、本発明の実施例について図面を参照しながら説明する。
【００２９】
【実施例】
（実施例１）
図１および図２に示すように、本体１内に設けた水槽２の底面には内部に発熱体３を有する凸形状の放熱体４が突設され、この水槽２に一定水位で給水するタンク５が着脱自在に載置されている。放熱体４の周囲には熱拡散防止筒６を設け、この熱拡散防止筒６の内周には、発熱体３より下方に位置し放熱体４の外周に近接する環状体６ａが一体に設けられている。熱拡散防止筒６の上部は水面より上方に突出し、下部は水槽２の底面に載置されている。なお水槽２の水位がさがるとフロ−ト７も下がり、リ−ドスイッチ８が作動して発熱体３を安全に停止するようになっている。またファンモ−タ−９は放熱体４で加熱生成した蒸気を本体１外に搬送するものである。
【００３０】
上記構成において、タンク５から給水された水は、水槽２を通って放熱体４へ供給される。放熱体４で加熱された水は蒸気となってファンモ−タ−９からの空気とともに室内に吹き出される。この際に、放熱体４で加熱された熱水は対流して発熱体３より下方の冷水と混ざり合おうとするが、熱拡散防止筒６の環状体６ａで対流を遮断され、膜沸騰状態を維持し続けるため、沸騰音の大きな核沸騰状態になるのを防止できることとなる。
【００３１】
（実施例２）
図３および図４に示すように、放熱体４の周囲には熱拡散防止筒１０を設け、この熱拡散防止筒１０の上部は水面より上方に突出し、下部は水槽２の底面に載置されている。この熱拡散防止筒１０には、熱拡散防止筒１０の内周に密接し放熱体４の外周に近接して環状体１１が着脱可能に固定されている。この環状体１１は合成ゴムを混合した合成樹脂成型品で、着脱時に伸縮するように弾性体で形成されている。
【００３２】
上記構成により、放熱体４で加熱された熱水は対流して発熱体３より下方の冷水と混ざり合おうとするが環状体１１で対流を遮断され、膜沸騰状態を維持し続けるため、沸騰音の大きな核沸騰状態になるのを防止できる。また、環状体１１と熱拡散防止筒１０を分割可能な構造としているので、熱拡散防止筒１０を単純な掃除しやすい形状にでき、環状体１１も外して洗えるため掃除しやすくなる。
【００３３】
（実施例３）
図３および図５に示すように、熱拡散防止筒１０には、その内周に密接し、かつ放熱体４の外周に密接する環状体１２が設けられ、この環状体１２には、放熱体４側に給水用の切り欠き１２ａを設けている。
【００３４】
上記構成により、放熱体４で加熱された熱水は対流して発熱体３より下方の冷水と混ざり合おうとするが、環状体１２で対流を遮断され、膜沸騰状態を維持し続けるため、沸騰音の大きな核沸騰状態になるのを防止できる。また、環状体１２と熱拡散防止筒１０を分割可能な構造としているので、熱拡散防止筒１０を単純な掃除しやすい形状にでき、環状体１２も外して洗えるため掃除しやすくなる。さらに、熱拡散防止筒１０の内周と放熱体４の外周に環状体１２を密接させ、給水用の切り欠き１２ａからのみ給水することで、熱水と冷水の接触面積を最小限にして熱損失を少なくできる。
【００３５】
（実施例４）
図３、図６および図７に示すように、環状体１２の給水用切り欠き１２ａを発熱体３の非発熱部３ａの近傍に位置している。
【００３６】
上記構成により、放熱体４の高温部分（発熱部）の近傍では重炭酸カルシウムや重炭酸マグネシウム等が二酸化炭素を放出して蒸発残留物となって析出し、堆積して固着し易くなるが、放熱体４の高温部分を避けて、環状体１２の給水用切り欠き１２ａを放熱体４の低温部分すなわち発熱体３の非発熱部（発熱体の端子側）３ａ近傍に配置することにより、給水用切り欠き１２ａが高温にさらされることがなく、その周辺に蒸発残留物が比較的堆積しにくくなる。したがって蒸発残留物が給水用切り欠き１２ａに堆積して塞ぐことがなくなり、長期間安定して使用することができる。
【００３７】
（実施例５）
図８および図９に示すように、発熱体３より下方に、放熱体４の外周と熱拡散防止筒１０の内周の間に略円筒形の環状体１３が着脱可能に挿入されており、この環状体１３の放熱体４側には給水用の溝１３ａが形成されている。環状体１３は放熱体４と熱拡散防止筒１０の間を埋める大きさとなっている。
【００３８】
上記構成により、放熱体４で加熱された熱水は対流して発熱体３より下方の冷水と混ざり合おうとするが、環状体１３で対流を遮断され、膜沸騰状態を維持し続けるため、沸騰音の大きな核沸騰状態になるのを防止できる。さらに、環状体１３は発熱体３の下方にある放熱体４と熱拡散防止筒１０に挟まれた空間に全て嵌入されているので、環状体１３自体の体積および肉厚は大となり断熱効果も大きなものとなっている。したがって環状体１３を通して熱水から冷水へ伝熱する熱量は極めて少なくなり、熱損失を少なく抑え加湿効率を向上することができる。
【００３９】
なお、本実施例では環状体を略円筒形の部品としたが環状体を熱拡散防止筒に一体に形成するものとしてもよい。
【００４０】
【発明の効果】
以上のように本発明によれば、熱拡散防止筒の内周に、前記発熱体より下方に位置し、前記放熱体の外周に近接する環状体を一体に設けることにより、発熱体の上面の熱水と発熱体の下方の冷水が混ざって沸点以下となり核沸騰状態になるのを防止でき、常時膜沸騰状態を維持できるので、運転中の沸騰音を低減できるという有利な効果が得られる。
【００４１】
また、放熱体の外周に近接し、熱拡散防止筒の内周に密接する環状体を発熱体より下方位置に設けることにより、発熱体の上面の熱水と発熱体の下方の冷水が混ざって沸点以下となり核沸騰状態になるのを防止でき、常時膜沸騰状態を維持できるので、運転中の沸騰音を低減でき、さらに熱拡散防止筒と環状体を着脱可能とすることで、清掃性が向上するという有利な効果が得られる。
【００４２】
また、放熱体の外周と熱拡散防止筒の内周に密接し、放熱体側に給水用切り欠きを設けた環状体を発熱体より下方位置に設けることにより、熱水と冷水の接触面積を最小限にでき熱拡散を抑えて加熱効率を向上できるという有利な効果が得られる。
【００４３】
また、環状体の給水用切り欠きを発熱体の非発熱部（発熱体の端子側）に設けることにより、蒸発残留物が給水用切り欠きを塞いで給水不能となり、運転不能となるのを防止でき、掃除を頻繁に行わなくても長期間の連続運転が可能となるという有利な効果が得られる。
【００４４】
また、発熱体より下方位置に、放熱体の外周と熱拡散防止筒の内周の間に挿入され、放熱体側に給水用の溝を有する略円筒形の環状体を設けることにより、熱水と冷水を遮断する環状体の体積を増すことで、環状体を伝わり逃げる熱をも抑えてさらに加熱効率を向上できるという有利な効果が得られる。
【図面の簡単な説明】
【図１】本発明の実施例１の加湿機の側断面図
【図２】同熱拡散防止筒の断面図
【図３】同実施例２〜実施例４の加湿機の側断面図
【図４】（イ）同実施例２の熱拡散防止筒の断面図
（ロ）同環状体の斜視図
【図５】（イ）同実施例３の熱拡散防止筒の断面図
（ロ）同環状体の斜視図
【図６】同実施例４の熱拡散防止筒の断面図
【図７】同熱拡散防止筒の断面図
【図８】同実施例５の加湿機の側断面図
【図９】（イ）同熱拡散防止筒の断面図
（ロ）同環状体の斜視図
【図１０】従来の加湿機の側断面図
【符号の説明】
１                      本体
２                      水槽
３                      発熱体
３ａ                    非発熱部
４                      放熱体
５                      給水タンク
６、１０                熱拡散防止筒
６ａ、１１、１２、１３  環状体
１２ａ                  切り欠き
１３ａ                  給水用溝
【図１】
0003703949.tif 000002
【図２】
0003703949.tif 000003
【図３】
0003703949.tif 000004
【図４】
0003703949.tif 000005
【図５】
0003703949.tif 000006
【図６】
0003703949.tif 000007
【図７】
0003703949.tif 000008
【図８】
0003703949.tif 000009
【図９】
0003703949.tif 000010
【図１０】
0003703949.tif 000011